(57)【特許請求の範囲】
【請求項１】
２本の走査線を有する第１基板と、
前記第１基板に対向して配置される第２基板と、
前記第２基板上に設けられ、前記２本の走査線を遮蔽する２つの行遮蔽パターンを有する遮蔽層と、
前記第２基板上に設けられる第１カラーフィルタユニットと、
前記第１カラーフィルタユニット上に設けられ、前記２つの行遮蔽パターンのうちいずれか一方の行遮蔽パターン上に位置するスペーサと、を含み、
前記第１カラーフィルタユニットは、第１側辺を有し、
前記第１側辺は、前記２つの行遮蔽パターンの間に位置する第１部分と、前記２つの行遮蔽パターンのうちいずれか一方の行遮蔽パターン上に位置する第２部分とを有し、前記第１部分が前記第２部分に接続され、
前記第１側辺の前記第１部分の延伸線と前記スペーサの中心との間の最短距離を第１距離とし、前記第１側辺の前記第２部分と前記スペーサの中心との間の最短距離を第２距離とした場合、前記第１距離が前記第２距離より小さく、
平面から見て、前記第１側辺の前記第２部分と前記スペーサとが重なることを特徴とする表示パネル。
【請求項２】
前記第１基板は、データ線をさらに含み、
前記遮蔽層は、前記データ線を遮蔽する列遮蔽パターンを有し、
前記第１カラーフィルタユニットの前記第１部分は、前記列遮蔽パターン上に位置することを特徴とする請求項１に記載の表示パネル。
【請求項３】
前記第１カラーフィルタユニットの両側に対向して設けられる第２カラーフィルタユニットと、第３カラーフィルタユニットと、をさらに含み、
前記第１カラーフィルタユニットと前記第２カラーフィルタユニットとが重なり、
前記第１カラーフィルタユニットと前記第３カラーフィルタユニットとが重ならないことを特徴とする請求項１に記載の表示パネル。
【請求項４】
前記第２基板と前記遮蔽層との間にアンダーカット部分（ｕｎｄｅｒｃｕｔ  ｒｅｇｉｏｎ）を有し、前記第１カラーフィルタユニットの一部が前記アンダーカット部分に埋められることを特徴とする請求項１に記載の表示パネル。
【請求項５】
前記２つの行遮蔽パターンのいずれか一方は、前記スペーサに対応する外方に広がった拡張部分を有することを特徴とする請求項１に記載の表示パネル。
【請求項６】
前記第１カラーフィルタユニット上にコンフォーマルに設けられる平坦層をさらに含み、
前記スペーサは、前記平坦層上に設けられることを特徴とする請求項１に記載の表示パネル。
【請求項７】
前記スペーサは、前記第１カラーフィルタユニットと直接接触することを特徴とする請求項１に記載の表示パネル。
【発明の詳細な説明】
【技術分野】
【０００１】
本発明は、表示パネルに関し、特に、カラーフィルタユニットを有する表示パネルに関するものである。
【背景技術】
【０００２】
近年、液晶表示パネルの用途拡大につれ、様々な電子製品に幅広く使用されるようになっている。液晶表示パネルは、液晶分子が異なる配列状態において光線に対する異なる偏光又は屈折効果を有する特性を利用し、光線の透過量を制御して画像を表示する。
【０００３】
近年、様々な広視野角液晶表示パネルが開発され、例えば、インプレーンスイッチング（Ｉｎ−Ｐｌａｎｅ  Ｓｗｉｔｃｈｉｎｇ，ＩＰＳ）型やフリンジフィールドスイッチング（Ｆｒｉｎｇｅ−Ｆｉｅｌｄ  Ｓｗｉｔｃｈｉｎｇ，ＦＦＳ）型等の広視野角と高開口率性能を実現した液晶表示パネルが知られている。
【先行技術文献】
【特許文献】
【０００４】
【特許文献１】特開２０１５−７７０４号公報
【発明の概要】
【発明が解決しようとする課題】
【０００５】
しかしながら、液晶表示パネルの軽薄短小化に伴い、プロセスの歩留まりが低下するという問題が生じている。
【課題を解決するための手段】
【０００６】
本発明の一実施形態に係る表示パネルは、２本の走査線を有する第１基板と、第１基板に対向して配置される第２基板と、第２基板上に設けられ、２本の走査線を遮蔽する２つの行遮蔽パターンを有する遮蔽層と、第２基板上に設けられる第１カラーフィルタユニットと、第１カラーフィルタユニット上に設けられ、２つの行遮蔽パターンのうちいずれか一方の行遮蔽パターン上に位置するスペーサと、を含み、第１カラーフィルタユニットは、第１側辺を有し、第１側辺は、２つの行遮蔽パターンの間に位置する第１部分と、２つの行遮蔽パターンのうちいずれか一方の行遮蔽パターン上に位置する第２部分とを有し、第１部分が第２部分に接続され、第１側辺の第１部分の延伸線とスペーサの中心との間の最短距離を第１距離とし、第１側辺の第２部分とスペーサの中心との間の最短距離を第２距離とした場合、第１距離が第２距離より小さく、平面から見て、第１側辺の第２部分とスペーサとが重なる。
【図面の簡単な説明】
【０００８】
【図１Ａ】本発明の一実施例に係る表示パネルを示す断面図である。
【図１Ｂ】本発明の一実施例に係る表示パネルを示す平面図である。
【図１Ｃ】本発明の一実施例に係る表示パネルを示す平面図である。
【図２】図１Ｃの要部拡大図である。
【図３】図１Ｃの３−３線断面図である。
【図４Ａ】本発明の他の実施例に係る表示パネルを示す平面図である。
【図４Ｂ】本発明の他の実施例に係る表示パネルを示す断面図である。
【図５Ａ】本発明の別の実施例に係る表示パネルを示す平面図である。
【図５Ｂ】本発明の別の実施例に係る表示パネルを示す断面図である。
【図６】本発明の異なる実施例に係る表示パネルを示す平面図である。
【図７】本発明の異なる実施例に係る表示パネルを示す断面図である。
【図８】本発明の異なる実施例に係る表示パネルを示す断面図である。
【発明を実施するための形態】
【０００９】
本発明の特徴、利点等をさらに明瞭にするために、本発明を実施する好適な実施形態について、図面を参照しながら詳細に説明する。
【００１０】
以下、本発明の表示パネルについて詳しく説明する。なお、本発明は、種々の異なる形式によって実施されることができるが、開示される実施形態に限定されるものではないことを理解すべきである。また、異なる実施例において同じ符号を使う場合がある。これら同じ符号は、本発明を簡単且つ明確に説明するためのものであり、異なる実施例及び／又は構造の間に関連性を有することを意味していない。なお、第１材料層が第２材料層上又は第２材料層の上にあると言及される場合、第１材料層は第２材料層に直接接触され、又は第１材料層と第２材料層との間に介在される他の材料層が存在し、直接接触しない場合があることを理解すべきである。
【００１１】
別途定義されない限り、本明細書に使用される全ての用語（技術用語及び科学用語を含む）は、当業者によって一般的に理解されるものと同じ意味を有する。また、ある層が別の層又は基板「の上にある」と言及される場合、その層は別の層又は基板の「直接」その上にあり、又はその層は別の層又は基板の上にあり、或いは別の層と基板との間に介在された他の層が存在する場合があることを理解すべきである。
【００１２】
また、図面に示すように、本明細書は、例えば「下」又は「底」及び「上」又は「頂」等の空間的に相対的な用語を用いて、ある要素と別の要素との関係を説明することができる。ただし、空間的に相対的な用語は、図面に表される配向に加えて、使用中又は作動中の装置の異なる配向を包含することを意図することを理解すべきである。例えば、図中の装置が反対向きである場合、他の要素の「下」として説明される要素は、他の要素の「上」に配向されるようになる。
【００１３】
本明細書で使用する「約」、「実質的に」は、一般的に数値の誤差又は範囲が２０％以内であることを指し、１０％以内であることが好ましく、５％以内であることがより好ましい。本明細書において明確な説明がない限り、言及される数値はいずれも近似値、すなわち、「約」、「実質的に」に対して明確な説明がなくても推測判断できることを意味する。
【００１４】
また、本発明の実施例において、「距離」とは、平面から見たすべての要素を平面へ投影して測定した距離である。この距離は、光学顕微鏡により５０Ｘ、１００Ｘの倍率で撮影した写真を測定して得ることができる。
【００１５】
また、本発明の実施例において、「延伸線」とは、上記平面上にカラーフィルタユニットの側辺に沿って延伸する仮想線分である。この仮想線分は、直線線分と湾曲線分との間の交点を出発点とし、仮想線分の延伸方向が直線線分の延伸方向に対して実質的に平行である。
【００１６】
本発明の実施例において、カラーフィルタユニットの側辺を、その上に設けられるスペーサの中心からずらせて配置することにより、スペーサに歪みが発生する可能性を低減することができる。その結果、表示パネルのプロセスの歩留まりを向上させることができる。
【００１７】
図１Ａは、本発明の一実施例に係る表示パネル１００を示す断面図である。図１Ａに示すように、表示パネル１００は、第１基板１０２と、第１基板１０２に対向して配置される第２基板１０４と、第１基板１０２と第２基板１０４との間に設けられる液晶層１０６とを含んでいる。そして、表示パネル１００は、第２基板１０４上に設けられる遮蔽層１０８、この遮蔽層１０８上に設けられる第１カラーフィルタユニット１１０、第２カラーフィルタユニット１１２及び第３カラーフィルタユニット１１４をさらに含んでいる。また、表示パネル１００は、第１カラーフィルタユニット１１０、第２カラーフィルタユニット１１２及び第３カラーフィルタユニット１１４上に設けられる平坦層１１６、この平坦層１１６上に設けられるメインスペーサ１１８及びサブスペーサ１２０をさらに含んでいる。また、表示パネル１００は、メインスペーサ１１８、サブスペーサ１２０及び平坦層１１６を覆う第１配向層１２２と、第１基板１０２上に設けられる第２配向層１２４とをさらに含んでいる。
【００１８】
上記表示パネル１００は、例えば、ＴＦＴ液晶ディスプレイ等の液晶ディスプレイであってよい。液晶ディスプレイは、ねじれネマチック（Ｔｗｉｓｔｅｄ  Ｎｅｍａｔｉｃ，ＴＮ）型、超ねじれネマチック（Ｄｏｕｂｌｅ  ｌａｙｅｒ  Ｓｕｐｅｒ  Ｔｗｉｓｔｅｄ  Ｎｅｍａｔｉｃ，ＤＳＴＮ）型、ダブル超ねじれネマチック（Ｄｏｕｂｌｅ  ｌａｙｅｒ  Ｓｕｐｅｒ  Ｔｗｉｓｔｅｄ  Ｎｅｍａｔｉｃ，ＤＳＴＮ）型、垂直配向型液晶（Ｖｅｒｔｉｃａｌ  Ａｌｉｇｎｍｅｎｔ  Ｌｉｑｕｉｄ  Ｃｒｙｓｔａｌ，ＶＡ）型、マルチドメイン垂直配向型液晶（Ｍｕｌｔｉ−ｄｏｍａｉｎ  Ｖｅｒｔｉｃａｌ  Ａｌｉｇｎｍｅｎｔ，ＭＶＡ）型、インプレーンスイッチング（Ｉｎ−Ｐｌａｎｅ  Ｓｗｉｔｃｈｉｎｇ，ＩＰＳ）型、フリンジフィールドスイッチング（Ｆｒｉｎｇｅ−Ｆｉｅｌｄ  Ｓｗｉｔｃｈｉｎｇ，ＦＦＳ）型、コレステリック（Ｃｈｏｌｅｓｔｅｒｉｃ）型やブルー相（Ｂｌｕｅ  Ｐｈａｓｅ）の液晶ディスプレイ、又は他の適切な液晶ディスプレイであってもよい。
【００１９】
第１基板１０２は、ＴＦＴ基板であってよい。ＴＦＴ基板としての第１基板１０２は、透明基板であってよい。その材料としては、例えば、ガラス基板、セラミック基板、プラスチック基板、又は他の適切な透明基板が挙げられる。なお、画素を制御するために、第１基板１０２内又はその上には、例えば薄膜トランジスタなどのトランジスタ（図示せず）が設けられている。
【００２０】
図１Ｂは、図１Ａの実施例に係る表示パネル１００を示す平面図である。つまり、図１Ａは、図１ＢのＡ−Ａ線に沿った断面図である。図１Ｂに示すように、第１基板１０２は、２本のデータ線（例えば、１２６Ｂ及び１２６Ｃ）、及び２本の走査線（例えば、１２８Ａ及び１２８Ｂ）を含んでいる。この一対のデータ線（例えば、１２６Ｂ及び１２６Ｃ）及び一対の走査線（例えば、１２８Ａ及び１２８Ｂ）によって画素領域１３０が画定される。
【００２１】
図１Ａを再び参照する。第２基板１０４は、カラーフィルタ層基板であってよい。その材料としては、例えば、ガラス基板、セラミック基板、プラスチック基板、又は他の適切な透明基板が挙げられる。
【００２２】
なお、図１Ｂには、表示パネル１００を簡単に説明するため、第１基板１０２のデータ線１２６、走査線１２８、及び第２基板１０４上の遮蔽層１０８のみが示されているが、表示パネル１００の他の要素が示されていない。
【００２３】
液晶層１０６は、ネマチック（ｎｅｍａｔｉｃ）液晶、スメクティック（ｓｍｅｃｔｉｃ）液晶、コレステリック（ｃｈｏｌｅｓｔｅｒｉｃ）液晶、ブルー相（Ｂｌｕｅ  Ｐｈａｓｅ）液晶、又は他の適切な液晶材料を含んでよい。
【００２４】
遮蔽層１０８は、表示パネル１００において色を表示するために用いられていない領域または要素、例えば走査線及びデータ線を遮蔽するために用いられている。遮蔽層１０８の材料は、黒色のフォトレジスト、黒色の印刷インク、黒色の樹脂又は他の適切な遮光材料や色であってよい。
【００２５】
詳しくは、図１Ｂに示すように、表示パネル１００の遮蔽層１０８は、一対の走査線（１２８Ａ、１２８Ｂ）を遮蔽する２つの行遮蔽パターン（１０８Ｒ１、１０８Ｒ２）、及び一対のデータ線（例えば、１２６Ｂ、１２６Ｃ）を遮蔽する２つの列遮蔽パターン（１０８Ｃ２、１０８Ｃ３）を有している。具体的に、図１Ｂに示す４つの列遮蔽パターン１０８Ｃ１，１０８Ｃ２，１０８Ｃ３，１０８Ｃ４は、それぞれ、４本のデータ線１２６（即ち、データ線１２６Ａ，１２６Ｂ，１２６Ｃ，１２６Ｄ）を遮蔽するように設けられている。また、行遮蔽パターン１０８Ｒ１，１０８Ｒ２は、走査線１２８を遮蔽するように設けられている。より具体的に、行遮蔽パターン１０８Ｒ１は、走査線１２８Ａを遮蔽し、行遮蔽パターン１０８Ｒ２は、走査線１２８Ｂを遮蔽するように設けられている。
【００２６】
図１Ａを再び参照する。第１カラーフィルタユニット１１０、第２カラーフィルタユニット１１２及び第３カラーフィルタユニット１１４は、それぞれ、赤色のフィルタユニット、緑色のフィルタユニット、青色のフィルタユニット、又は他の適切なカラーフィルタユニットであってよい。例えば、一実施例において、第１カラーフィルタユニット１１０は、赤色のフィルタユニットであり、第２カラーフィルタユニット１１２は、青色のフィルタユニットであり、第３カラーフィルタユニット１１４は、緑色のフィルタユニットであってもよい。
【００２７】
図１Ｃは、図１Ａの実施例に係る表示パネル１００を示す平面図である。つまり、図１Ａは、図１ＣのＡ−Ａ線に沿った断面図である。なお、図１Ｃには、本発明を簡単に説明するため、走査線及びデータ線が示されていない。図１Ｃに示すように、第２カラーフィルタユニット１１２及び第３カラーフィルタユニット１１４は、それぞれ、第１カラーフィルタユニット１１０の両側に対向して設けられている。また、遮蔽層１０８は、第１カラーフィルタユニット１１０、第２カラーフィルタユニット１１２及び第３カラーフィルタユニット１１４の下に設けられているため、点線で示している。
【００２８】
また、図１Ｃに示すように、第１カラーフィルタユニット１１０は、互いに対向する側辺１１０Ｓ１，１１０Ｓ２を有し、第２カラーフィルタユニット１１２は、互いに対向する側辺１１２Ｓ１，１１２Ｓ２を有し、第３カラーフィルタユニット１１４は、互いに対向する側辺１１４Ｓ１，１１４Ｓ２を有している。また、第２カラーフィルタユニット１１２の側辺１１２Ｓ２及び第１カラーフィルタユニット１１０の側辺１１０Ｓ１は、互いに隣接され、第１カラーフィルタユニット１１０の側辺１１０Ｓ２及び第３カラーフィルタユニット１１４の側辺１１４Ｓ１は、互いに隣接されている。
【００２９】
なお、図１Ｂ及び図１Ｃには、同じ実施例における同じ表示パネルが示されている。本発明を簡単に説明するため、図１Ｃには、走査線及びデータ線が示されていない。
【００３０】
図１Ａを再び参照する。一実施例において、平坦層１１６は、第１カラーフィルタユニット１１０の上にコンフォーマルに設けられてもよい。平坦層１１６の材料としては、プラスチックやフォトレジストが挙げられる。平坦層１１６は、例えば、アクリル材料（Ａｃｒｙｌａｔｅ）、エチレンアクリル材料（Ｅｐｏｘｙ  ａｃｒｙｌａｔｅ）、シロキサン材料（Ｓｉｌｏｘａｎｅ）、他の適切な材料、又は上記材料の組み合わせで形成されてよい。
【００３１】
図１Ａに示すように、スペーサ（例えば、メインスペーサ１１８又はサブスペーサ１２０）は、平坦層１１６上に設けられている。平坦層１１６上（又は第２基板１０４上）に設けられるメインスペーサ１１８が第２基板１０４と第１基板１０２を隔離することにより、液晶層１０６は、第２基板１０４と第１基板１０２との間に充電されることができる。また、サブスペーサ１２０は、第２基板１０４及び第１基板１０２からの圧力を受けて緩衝として機能する。
【００３２】
また、メインスペーサ１１８は、第２基板１０４と第１基板１０２を隔離する主要構造であり、サブスペーサ１２０は、表示パネル１００が押された時の押圧等による第２基板１０４と第１基板１０２との接触を回避する構造である。そのため、メインスペーサ１１８の高さがサブスペーサ１２０の高さよりも高く、且つメインスペーサ１１８の幅がサブスペーサ１２０の幅よりも大きくように形成されている。具体的に、メインスペーサ１１８が第１高さＨ１を有し、サブスペーサ１２０が第２高さＨ２を有する場合、第１高さＨ１は、第２高さＨ２より大きい。また、メインスペーサ１１８が第１幅Ｗ１を有し、サブスペーサ１２０が第２幅Ｗ２を有する場合、第１幅Ｗ１は、第２幅Ｗ２より大きい。
【００３３】
また、メインスペーサ１１８は、第２基板１０４から離れた頂面１１８Ｔと、第２基板１０４に近い底面１１８Ｂとを有している。同じように、サブスペーサ１２０は、第２基板１０４から離れた頂面１２０Ｔと、第２基板１０４に近い底面１２０Ｂとを有している。メインスペーサ１１８及びサブスペーサ１２０は、フォトレジスト（例えば、ポジ型フォトレジスト又はネガ型フォトレジスト）で形成されてよい。また、メインスペーサ１１８及びサブスペーサ１２０は、同一のリソグラフィプロセスによって形成されてもよく、違いリソグラフィ工程によってそれぞれ形成されてもよい。リソグラフィ工程は、フォトレジストパターニングを含んでいる。フォトレジストパターニングは、フォトレジスト塗布、ソフトベーク、マスク合わせ、露光、露光後ベーク（ｐｏｓｔ−ｅｘｐｏｓｕｒｅ  ｂａｋｉｎｇ，ＰＥＢ）、フォトレジスト現像及びハードベーク等のプロセスを含んでいる。
【００３４】
図１Ａに示すように、第１配向層１２２及び第２配向層１２４は、液晶分子を一定方向に配列させるための薄膜である。その材料は、ポリイミド（ｐｏｌｙｉｍｉｄｅ）又は他の適切な配向層の材料であってよい。第１配向層１２２は、第２基板１０４、平坦層１１６、メインスペーサ１１８及びサブスペーサ１２０上を覆っている。また、メインスペーサ１１８の頂面１１８Ｔ上に設けられる第１配向層１２２は、第２配向層１２４に直接接触することができる。
【００３５】
図１Ａ及び図１Ｃを参照すると、メインスペーサ１１８は、第１カラーフィルタユニット１１０と第２カラーフィルタユニット１１２との間に設けられるとともに、２つの行遮蔽パターン１０８Ｒのうち１つの上に設けられている。なお、図１Ｃには、図１Ａにおけるメインスペーサ１１８の底面１１８Ｂの輪郭、及びサブスペーサ１２０の底面１２０Ｂの輪郭が示されている。本実施例において、メインスペーサ１１８の底面１１８Ｂの大部分は、第１カラーフィルタユニット１１０の上に配置され、メインスペーサ１１８の底面１１８Ｂの小部分は、第２カラーフィルタユニット１１２の上に配置されている。
【００３６】
図１Ｃに示す実施例において、メインスペーサ１１８は、行遮蔽パターン１０８Ｒ１上に設けられている。行遮蔽パターン１０８Ｒ１は、メインスペーサ１１８に対応する外方に広がった拡張部分を有し、メインスペーサ１１８を完全に覆っている。具体的に、行遮蔽パターン１０８Ｒ１は、メインスペーサ１１８に対応するエッジが円弧状の形状を有し、この円弧状のエッジによって行遮蔽パターン１０８Ｒ１の拡張部分が画定され、且つ、メインスペーサ１１８の底面１１８Ｂは、行遮蔽パターン１０８Ｒ１の拡張部分が対応する領域内に収めて配置されている。
【００３７】
このように、上にメインスペーサ１１８及びサブスペーサ１２０が配置されない行遮蔽パターン１０８Ｒ２は、直線部分のみを有し、上にメインスペーサ１１８及び／又はサブスペーサ１２０が配置される行遮蔽パターン１０８Ｒ１は、直線部分及び拡張部分を有している。
【００３８】
図１Ｃを引き続き参照する。第１カラーフィルタユニット１１０は、側辺１１０Ｓ１を有している。側辺１１０Ｓ１は、２つの行遮蔽パターンの間に位置する第１部分１１０Ｅ１と、行遮蔽パターン１０８Ｒ１と重なる第２部分１１０Ｅ２とを有しており（即ち、第２部分１１０Ｅ２は、２つの行遮蔽パターン１０８Ｒ１，１０８Ｒ２のいずれか上に位置している）、第１部分１１０Ｅ１が第２部分１１０Ｅ２に接続されている。
【００３９】
言い換えれば、第１部分１１０Ｅ１及び第２部分１１０Ｅ２は、同じ側辺の異なる部分である。即ち、第１部分１１０Ｅ１及び第２部分１１０Ｅ２は、第１カラーフィルタユニット１１０の側辺１１０Ｓ１における異なる部分である。側辺１１０Ｓ１の、上にメインスペーサ１１８及び／又はサブスペーサ１２０が設けられる行遮蔽パターン１０８Ｒ１と重なる部分は、第２部分１１０Ｅ２であり、残りの部分は、第１部分１１０Ｅ１である。また、第１部分１１０Ｅ１は、列遮蔽パターン（１０８Ｃ２，１０８Ｃ３）のいずれか１つと重なってもよい。例えば、本実施例において、第１部分１１０Ｅ１は、列遮蔽パターン１０８Ｃ２と重なるように形成されている。
【００４０】
図２は、図１Ｃの要部拡大図である。図２に示すように、第１カラーフィルタユニット１１０の第１部分１１０Ｅ１の延伸線１３２とメインスペーサ１１８の中心１１８Ｃとの間の最短距離を距離Ｄ１とし、第２部分１１０Ｅ２とメインスペーサ１１８の中心１１８Ｃとの間の最短距離を距離Ｄ２とした場合、距離Ｄ１が距離Ｄ２より小さくなるように形成されている。また、延伸線１３２の延伸方向が第１部分１１０Ｅ１の主な延伸方向である。
【００４１】
距離Ｄ１を距離Ｄ２より小さくすることにより、表示パネルのプロセスの歩留まりを向上させることができる。詳しくは、表示パネルの軽薄短小化に伴い、カラーフィルタユニットをコンフォーマル又は全面的に覆う平坦層の厚さが減少する。そのため、平坦層は、カラーフィルタユニットのエッジの位置に窪みが生じることがある。例えば、図１Ａに示すように、平坦層１１６は、第１カラーフィルタユニット１１０の側辺１１０Ｓ１及び側辺１１０Ｓ２に対応する位置に窪みが生じてしまう。このように、仮にこの窪みがメインスペーサの中心の下に設けられる場合には、メインスペーサの頂面の平坦性に影響を与え、一部のメインスペーサの頂面に歪みが発生し、第１基板と第２基板との間の間隔を一定に保つことができない。さらに、第１基板と第２基板との間に気泡が発生し、表示パネルのプロセスの歩留まりの低下を引き起こしてしまう。
【００４２】
そこで、本実施例では、カラーフィルタユニットの側辺を、その上に設けられるスペーサの中心からずらして配置することにより、平坦層の窪みがその上に設けられるスペーサの中心からずれて配置されるので、メインスペーサの頂面に歪みが発生する可能性を低減することができる。これにより、第１基板と第２基板との間の間隔を一定に保つことができる。その結果、表示パネルのプロセスの歩留まりを向上させることができる。
【００４３】
一実施例において、図２に示すように、距離Ｄ２は、距離Ｄ１の約１．５倍〜約３．５倍（Ｄ２＝１．５×Ｄ１〜３．５×Ｄ１）であってよく、例えば、約２倍〜約３倍（Ｄ２＝２×Ｄ１〜３×Ｄ１）であってもよい。或いは、距離Ｄ２は、メインスペーサ１１８の半径Ｒ１の約０．５倍〜約１．５倍（Ｄ２＝０．５×Ｒ１〜１．５×Ｒ１）あってよく、例えば、約０．７倍〜約１．２倍（Ｄ２＝０．７×Ｒ１〜１．２×Ｒ１）、又は約１倍（Ｄ２＝Ｒ１）であってもよい。
【００４４】
距離Ｄ２がメインスペーサ１１８の半径Ｒ１の約１倍（Ｄ２＝Ｒ１）である場合、第１カラーフィルタユニット１１０の第２部分１１０Ｅ２は、メインスペーサ１１８の底面１１８Ｂのエッジ１１８ＢＥと重なっていることが示されている。
【００４５】
また、一実施例において、図２に示すように、第１部分１１０Ｅ１の一部は、１対のデータ線１２６のいずれか１つ（例えば、図１Ｂに示すデータ線１２６Ｂ）に沿って延びる直線線分であり、第２部分１１０Ｅ２は、メインスペーサ１１８の底部のエッジ１１８ＢＥの形状に応じて湾曲する湾曲線分である。
【００４６】
一実施例において、第２部分１１０Ｅ２の曲線部分の曲率は、メインスペーサ１１８の底部のエッジ１１８ＢＥの曲率と略同一となっている。他の実施例において、第２部分１１０Ｅ２の曲線部分の曲率は、メインスペーサ１１８の底部のエッジ１１８ＢＥの曲率の約０．８〜約１．２倍であってよく、例えば、約０．９〜約１．１倍であってもよい。
【００４７】
図１Ａ及び図１Ｃを参照する。サブスペーサ１２０は、第１カラーフィルタユニット１１０と第３カラーフィルタユニット１１４との間に設けられ、２つの行遮蔽パターン（１０８Ｒ１，１０８Ｒ２）のいずれか１つ（例えば、行遮蔽パターン１０８Ｒ１）上に設けられている。第３カラーフィルタユニット１１４は、側辺１１４Ｓ１を有しており、側辺１１４Ｓ１は、２つの行遮蔽パターン（１０８Ｒ１，１０８Ｒ２）の間に位置する第３部分１１４Ｅ１と、２つの行遮蔽パターン（１０８Ｒ１，１０８Ｒ２）のいずれか上に位置する第４部分１１４Ｅ２とを有しており、第３部分１１４Ｅ１が第４部分１１４Ｅ２に接続されている。側辺１１４Ｓ１の、２つ隣り合う行遮蔽パターンの間に位置する部分と、上にメインスペーサ１１８及びサブスペーサ１２０が配置されない行遮蔽パターン１０８Ｒ２と重なる部分と、を併せて第３部分１１４Ｅ１と呼ぶ。側辺１１４Ｓ１の、上にメインスペーサ１１８及び／又はサブスペーサ１２０が設けられる行遮蔽パターン１０８Ｒ１と重なる部分は、第４部分１１４Ｅ２であり、且つ、第３部分１１４Ｅ１が第４部分１１４Ｅ２に接続されている。また、第３部分１１４Ｅ１と第４部分１１４Ｅ２とが直線線分である。
【００４８】
図２に示すように、本実施例において、第３カラーフィルタユニット１１４の第３部分１１４Ｅ１の延伸線と第４部分１１４Ｅ２とが部分的に重なっているため、第３部分１１４Ｅ１の延伸線とサブスペーサ１２０の中心１２０Ｃとの間の最短距離と、第４部分１１４Ｅ２とサブスペーサ１２０の中心との間の最短距離とが等しくなり、距離Ｄ３とする。
【００４９】
また、本実施例において、図１Ａ及び図１Ｃに示すように、第１カラーフィルタユニット１１０と第２カラーフィルタユニット１１２とが重なっているが、第１カラーフィルタユニット１１０と第３カラーフィルタユニット１１４とが重なっていない。具体的に、平面から見ると、図１Ｃにおける第２カラーフィルタユニット１１２及び第１カラーフィルタユニット１１０は、隣り合う側辺１１２Ｓ２及び側辺１１０Ｓ１を有している。一方、断面から見ると、図１Ａにおける側辺１１２Ｓ２は、実際に第２カラーフィルタユニット１１２の側壁であり、側辺１１０Ｓ１は、実際に第１カラーフィルタユニット１１０の側壁であり、且つ、この２つの側壁が互いに直接接触している。同様に、平面から見ると、図１Ｃにおける第３カラーフィルタユニット１１４及び第１カラーフィルタユニット１１０は、隣り合う側辺１１４Ｓ１及び側辺１１０Ｓ２を有している。一方、断面から見ると、図１Ａにおける側辺１１４Ｓ１は、実際に第３カラーフィルタユニット１１４の側壁であり、側辺１１０Ｓ２は、実際に第１カラーフィルタユニット１１０の側壁であり、且つ、この２つの側壁は、平坦層１１６により隔離されて互いに直接接触していない。
【００５０】
なお、第１カラーフィルタユニット１１０、第２カラーフィルタユニット１１２及び第３カラーフィルタユニット１１４の配置については、本実施例の配置に限られず、他の配置（後述する）であっても構わない。図１Ａ〜図２に示す実施例は、単なる例示であり、発明を限定するものとして解釈されるべきではない。
【００５１】
一実施例において、第１カラーフィルタユニット１１０は、赤色のフィルタユニットであり、第２カラーフィルタユニット１１２は、青色のフィルタユニットであり、第３カラーフィルタユニット１１４は、緑色のフィルタユニットである。言い換えれば、本実施例において、メインスペーサ１１８は、緑色のフィルタユニットと他の色のフィルタユニットとの間に設けられておらず、赤色のフィルタユニットと青色のフィルタユニットとの間に設けられている。メインスペーサ１１８が対応する遮蔽層１０８の面積が比較的に大きいため、遮蔽される光は比較的に多い。また、赤色、青色、緑色のうち、緑色の発光強度が最も強い。そのため、メインスペーサ１１８を緑色のフィルタユニットと他の色のフィルタユニットとの間に設けられないことは、メインスペーサ１１８に対応して面積が比較的に大きいな遮蔽層１０８により、発光強度が最も強い緑色の光が遮蔽されるのを回避することができ、表示パネルの発光強度を向上させることができる。
【００５２】
図３は、図１Ｃの３−３線断面図である。図３に示す実施例では、第２基板１０４と遮蔽層１０８（例えば、列遮蔽パターン１０８Ｃ２）との間にアンダーカット部分（ｕｎｄｅｒｃｕｔ  ｒｅｇｉｏｎ）１３４，１３６を有し、第１カラーフィルタユニット１１０及び第２カラーフィルタユニット１１２の一部が、それぞれ、アンダーカット部分１３４，１３６に埋められることが可能である。また、第３カラーフィルタユニット（図３には図示せず）も第２基板と遮蔽層との間の他のアンダーカット部分に埋められることが可能である。
【００５３】
図４Ａ及び図４Ｂは、本発明の他の実施例に係る表示パネル４００を示す平面図及び断面図である。前述の実施例と同一又は類似の要素又は膜層には同一又は類似の符号を付し、その材料、作製方法や作用が前述の実施例と同一又は類似であるため、重複する説明は省略する。図４Ａ及び図４Ｂに示す実施例と前述した図２の実施例との相違点は、第３カラーフィルタユニットの第３部分の延伸線とサブスペーサの中心との間の最短距離が、その第４部分の延伸線とサブスペーサの中心との間の最短距離よりも小さい点である。
【００５４】
図４Ａに示すように、第３カラーフィルタユニット１１４の第３部分１１４Ｅ１の延伸線１３８とサブスペーサ１２０の中心１２０Ｃとの間の最短距離を距離Ｄ４とし、第４部分１１４Ｅ２とサブスペーサ１２０の中心１２０Ｃとの間の最短距離を距離Ｄ５とした場合、距離Ｄ４が距離Ｄ５より小さくなるように形成されている。また、延伸線１３８の延伸方向が第３部分１１４Ｅ１の主な延伸方向である。
【００５５】
距離Ｄ４を距離Ｄ５より小さくすることにより、表示パネルのプロセスの歩留まりを向上させることができる。詳しくは、表示パネルの軽薄短小化に伴い、カラーフィルタユニットをコンフォーマル又は全面的に覆う平坦層の厚さが減少する。そのため、平坦層は、カラーフィルタユニットのエッジの位置に窪みが生じることがある。例えば、図１Ａに示すように、平坦層１１６は、第１カラーフィルタユニット１１０の側辺１１０Ｓ２及び第３カラーフィルタユニット１１４の側辺１１４Ｓ１に対応する位置に窪みが生じてしまう。このように、仮にこの窪みがサブスペーサの中心の下に設けられる場合には、サブスペーサの頂面の平坦性に影響を与え、一部のサブスペーサの頂面に歪みが発生し、表示パネルのプロセスの歩留まりの低下を引き起こしてしまう。
【００５６】
そこで、本実施例では、カラーフィルタユニットの側辺を、その上に設けられるサブスペーサの中心からずらせて配置することにより、平坦層の窪みがその上に設けられるサブスペーサの中心からずらして配置されるので、サブスペーサの頂面に歪みが発生する可能性を低減することができる。これにより、表示パネルのプロセスの歩留まりを向上させることができる。
【００５７】
一実施例において、図４Ａに示すように、距離Ｄ５は、距離Ｄ４の約１．５倍〜約３．５倍（Ｄ５＝１．５×Ｄ４〜３．５×Ｄ４）であってよく、例えば、約２倍〜約３倍（Ｄ５＝２×Ｄ４〜３×Ｄ４）であってもよい。或いは、距離Ｄ５は、サブスペーサ１２０の半径Ｒ２の約０．５倍〜約１．５倍（Ｄ５＝０．５×Ｒ２〜１．５×Ｒ２）あってよく、例えば、約０．７倍〜約１．２倍（Ｄ５＝０．７×Ｒ２〜１．２×Ｒ２）、又は約１倍（Ｄ５＝Ｒ２）であってもよい。
【００５８】
距離Ｄ５がサブスペーサ１２０の半径Ｒ２の約１倍（Ｄ５＝Ｒ２）である場合、第３カラーフィルタユニット１１４の第４部分１１４Ｅ２は、サブスペーサ１２０の底面１２０Ｂのエッジ１２０ＢＥと重なっていることが示されている。
【００５９】
また、一実施例において、図４Ａに示すように、第３部分１１４Ｅ１の一部は、１対のデータ線のいずれか１つ（例えば、データ線１２６Ｃ）に沿って延びる直線線分であり、第４部分１１４Ｅ２は、サブスペーサ１２０の底部のエッジ１２０ＢＥの形状に応じて湾曲する湾曲線分である。
【００６０】
また、図４Ｂの実施例に示すように、第１カラーフィルタユニット１１０と第２カラーフィルタユニット１１２とが重なっておらず、第１カラーフィルタユニット１１０と第３カラーフィルタユニット１１４とが点１４０に交差している。具体的に、第２カラーフィルタユニット１１２及び第１カラーフィルタユニット１１０は、隣り合う側辺１１２Ｓ２及び側辺１１０Ｓ１を有し、且つ、この２つの側辺１１２Ｓ２及び側辺１１０Ｓ１は、平坦層１１６により隔離されて互いに直接接触していない。また、第３カラーフィルタユニット１１４及び第１カラーフィルタユニット１１０は、隣り合う側辺１１４Ｓ１及び側辺１１０Ｓ２を有しており、且つ、この２つの側辺１１４Ｓ１，１１０Ｓ２は、点１４０の位置のみに互いに直接接触している。
【００６１】
なお、第１カラーフィルタユニット、第２カラーフィルタユニット、及び第３カラーフィルタユニットの配置については、本実施例の配置に限られず、他の配置であっても構わない。当業者であれば、第１カラーフィルタユニット及び第２カラーフィルタユニットは、互いに重なるか、一点に交差するか、又は重ならない場合がある一方、第１カラーフィルタユニット及び第３カラーフィルタユニットは、互いに重なるか、一点に交差するか、又は重ならない場合があることを理解すべきである。
【００６２】
図５Ａ及び図５Ｂは、本発明の別の実施例に係る表示パネル５００を示す平面図である。前述の実施例と同一又は類似の要素又は膜層には同一又は類似の符号を付し、その材料、作製方法や作用が前述の実施例と同一又は類似であるため、重複する説明は省略する。図５Ａ及び図５Ｂに示す実施例と前述した図４Ａ及び図４Ｂの実施例との相違点は、第１カラーフィルタユニットの第２部分は、メインスペーサが対応する領域内に設けられておらず、メインスペーサが対応する領域外に設けられており、且つ、第３カラーフィルタユニットの第４部分は、サブスペーサが対応する領域内に設けられておらず、サブスペーサが対応する領域外に設けられている点である。
【００６３】
具体的に、図５Ａ及び図５Ｂに示す実施例において、第１カラーフィルタユニット１１０及び第２カラーフィルタユニット１１２は互いに重なっており、第１カラーフィルタユニット１１０及び第３カラーフィルタユニット１１４は互いに重なっている。また、平面から表示パネル５００を見ると、第１カラーフィルタユニット１１０の第２部分１１０Ｅ２は、メインスペーサ１１８が対応する領域内に設けられておらず、メインスペーサ１１８が対応する領域外に設けられている。同様に、平面から表示パネル５００を見ると、第３カラーフィルタユニット１１４の第４部分１１４Ｅ２は、サブスペーサ１２０が対応する領域内に設けられておらず、サブスペーサ１２０が対応する領域外に設けられている。また、第１カラーフィルタユニット１１０の第２部分１１０Ｅ２及び第３カラーフィルタユニット１１４の第４部分１１４Ｅ２は、遮蔽層１０８上に設けられている。言い換えれば、第１カラーフィルタユニット１１０の第２部分１１０Ｅ２及び第３カラーフィルタユニット１１４の第４部分１１４Ｅ２は、遮蔽層１０８が対応する領域内に設けられている。
【００６４】
図６は、本発明の異なる実施例に係る表示パネル６００を示す平面図である。前述の実施例と同一又は類似の要素又は膜層には同一又は類似の符号を付し、その材料、作製方法や作用が前述の実施例と同一又は類似であるため、重複する説明は省略する。図６に示す実施例と前述した図１Ａ〜図５Ｂの実施例との相違点は、遮蔽層は、列遮蔽パターンを有しておらず、行遮蔽パターンのみ有している点である。
【００６５】
具体的に、図６に示す実施例において、遮蔽層１０８は、データ線を遮蔽するための列遮蔽パターンを有しておらず、１対の走査線を遮蔽するための行遮蔽パターン１０８Ｒ１，１０８Ｒ２のみ有している。
【００６６】
図７は、本発明の異なる実施例に係る表示パネル７００を示す断面図である。前述の実施例と同一又は類似の要素又は膜層には同一又は類似の符号を付し、その材料、作製方法や作用が前述の実施例と同一又は類似であるため、重複する説明は省略する。図７に示す実施例と前述した図１Ａ〜図６の実施例との相違点は、表示パネルはカラーフィルタユニット上に設けられる平坦層を有していない点である。
【００６７】
具体的に、図７に示す実施例において、表示パネル７００は、第１カラーフィルタユニット１１０、第２カラーフィルタユニット１１２、及び第３カラーフィルタユニット１１４上に設けられる平坦層を有していない。また、メインスペーサ１１８は、第１カラーフィルタユニット１１０及び第２カラーフィルタユニット１１２に直接接触され、サブスペーサ１２０は、第３カラーフィルタユニット１１４及び第１カラーフィルタユニット１１０に直接接触されている。
【００６８】
図８は、本発明の異なる実施例に係る表示パネル８００を示す断面図である。前述の実施例と同一又は類似の要素又は膜層には同一又は類似の符号を付し、その材料、作製方法や作用が前述の実施例と同一又は類似であるため、重複する説明は省略する。図８に示す実施例と前述した図１Ａ〜図７の実施例との相違点は、平坦層は、カラーフィルタユニットをコンフォーマルに覆って設けられておらず、カラーフィルタユニットを全面的に覆って設けられている点である。
【００６９】
具体的に、図８に示す実施例において、平坦層１１６は、第１カラーフィルタユニット１１０、第２カラーフィルタユニット１１２、及び第３カラーフィルタユニット１１４上に全面的に覆って（ｂｌａｎｋｅｔ）設けられている。なお、本実施例において、平坦層１１６は、カラーフィルタユニット上に全面的に覆って（ｂｌａｎｋｅｔ）設けられているものの、カラーフィルタユニットのエッジの位置に窪みが少し生じることがある。そのため、このような全面的に成膜された平坦層を有する表示パネルに本発明を適用する場合にも、表示パネルのプロセスの歩留まりを向上させることができる。
【００７０】
上述したように、本発明は、カラーフィルタユニットの側辺を、その上に設けられるスペーサの中心からずらして配置することにより、平坦層の窪みがその上に設けられるスペーサの中心からずられて配置されることができ、表示パネルのプロセスの歩留まりを向上させることができる。
【００７１】
以上、本発明及びその利点を詳細に説明したが、添付の特許請求の範囲に記載された本発明から逸脱することなく、様々な変更、置換、改造を行うことが可能と理解されよう。更に、本願の範囲は、この明細書に記載した処理、装置、製造方法、組成物、手段、方法及び工程に限定されるものではない。本開示内容から容易に理解されるように、ここに記載した対応の実施例と実質的に同じ作用を奏する、又は実質的に同じ結果を達成する、既存の又は今後開発される処理、装置、製造方法、組成物、手段、方法及び工程を利用することができる。したがって、添付の特許請求の範囲には、そのような処理、装置、製造方法、組成物、手段、方法及び工程も含まれることが意図される。各請求項は各実施例を構成し、且つ、本発明の特許請求の範囲は、各請求項及び実施例の組み合わせを含むものである。
【符号の説明】
【００７２】
１００  表示パネル
１０２  第１基板
１０４  第２基板
１０６  液晶層
１０８  遮蔽層
１０８Ｃ１  列遮蔽パターン
１０８Ｃ２  列遮蔽パターン
１０８Ｃ３  列遮蔽パターン
１０８Ｃ４  列遮蔽パターン
１０８Ｒ  行遮蔽パターン
１０８Ｒ１  行遮蔽パターン
１０８Ｒ２  行遮蔽パターン
１１０  第１カラーフィルタユニット
１１０Ｅ１  第１部分
１１０Ｅ２  第２部分
１１０Ｓ１  側辺
１１０Ｓ２  側辺
１１２  第２カラーフィルタユニット
１１２Ｓ１  側辺
１１２Ｓ２  側辺
１１４  第３カラーフィルタユニット
１１４Ｓ１  側辺
１１４Ｓ２  側辺
１１４Ｅ１  第３部分
１１４Ｅ２  第４部分
１１６  平坦層
１１８  メインスペーサ
１１８Ｔ  頂面
１１８Ｂ  底面
１１８Ｃ  中心
１１８ＢＥ  エッジ
１２０  サブスペーサ
１２０Ｔ  頂面
１２０Ｂ  底面
１２０Ｃ  中心
１２０ＢＥ  エッジ
１２２  第１配向層
１２４  第２配向層
１２６  データ線
１２６Ａ  データ線
１２６Ｂ  データ線
１２６Ｃ  データ線
１２６Ｄ  データ線
１２８  走査線
１２８Ａ  走査線
１２８Ｂ  走査線
１３０  画素領域
１３２  延伸線
１３４  アンダーカット部分
１３６  アンダーカット部分
１３８  延伸線
１４０  点
４００  表示パネル
５００  表示パネル
６００  表示パネル
７００  表示パネル
８００  表示パネル
Ｄ１  距離
Ｄ２  距離
Ｄ３  距離
Ｄ４  距離
Ｄ５  距離
Ｒ１  半径
Ｒ２  半径
Ｗ１  第１幅
Ｗ２  第２幅
Ｈ１  第１高さ
Ｈ２  第２高さ
【図１Ａ】
0006382878.tif 000002
【図１Ｂ】
0006382878.tif 000003
【図１Ｃ】
0006382878.tif 000004
【図２】
0006382878.tif 000005
【図３】
0006382878.tif 000006
【図４Ａ】
0006382878.tif 000007
【図４Ｂ】
0006382878.tif 000008
【図５Ａ】
0006382878.tif 000009
【図５Ｂ】
0006382878.tif 000010
【図６】
0006382878.tif 000011
【図７】
0006382878.tif 000012
【図８】
0006382878.tif 000013